(57)【要約】【課題】  本発明は、オーディオ信号の伝送装置及びオーディオ信号の伝送方法に関し、例えば赤外線によるマルチチャンネルのオーディオ信号の伝送に適用して、２チャンネルオーディオ信号用の従来フォーマットを有効に利用して、マルチチャンネルによるオーディオ信号を伝送する。【解決手段】  ２チャンネルのオーディオ信号を伝送する場合に、各チャンネルのオーディオ信号によるサンプリングデータをそれぞれ割り当てるサブフレームへの付加情報の割り当てを省略し、このサブフレームを分割して複数チャンネルのオーディオ信号によるサンプリングデータを順次割り当てると共に、付加情報を管理情報の領域に割り当てる。【選択図】        図１
2007027928.tif 000002
【特許請求の範囲】
【請求項１】
マルチチャンネルのオーディオ信号を伝送するオーディオ信号の伝送装置であって、
前記オーディオ信号を所定フォーマットにより出力するフォーマット回路と、
前記フォーマット回路の出力データを変調して出力する変調回路とを備え、
前記所定フォーマットは、
所定個数のサブフレームに、管理情報、パリティを割り当てたチャプタの連続によるフォーマットであり、
２チャンネルのオーディオ信号を伝送する場合、連続する前記サブフレームを交互に右チャンネル及び左チャンネルに割り当て、前記サブフレームにそれぞれ前記オーディオ信号によるオーディオデータのサンプリングデータと、付加情報とを割り当てるフォーマットであり、
前記フォーマット回路は、
前記２チャンネルのオーディオ信号を伝送する場合に、前記サブフレームに割り当てる付加情報を、前記管理情報の記録領域に割り当てて、前記サブフレームへの前記付加情報の割り当てを中止し、
前記サブフレームを分割して前記マルチチャンネルのオーディオ信号によるサンプリングデータを順次割り当てる
ことを特徴とするオーディオ信号の伝送装置。
【請求項２】
マルチチャンネルのオーディオ信号を所定フォーマットにより伝送するオーディオ信号の伝送方法であって、
前記所定フォーマットが、
所定個数のサブフレームに、管理情報、パリティを割り当てたチャプタの連続によるフォーマットであり、
２チャンネルのオーディオ信号を伝送する場合、連続する前記サブフレームを交互に右チャンネル及び左チャンネルに割り当て、前記サブフレームにそれぞれ前記オーディオ信号によるオーディオデータのサンプリングデータと、付加情報とを割り当てるフォーマットであり、
前記オーディオ信号の伝送方法は、
前記２チャンネルのオーディオ信号を伝送する場合に、前記サブフレームに割り当てる付加情報を、前記管理情報の記録領域に割り当てて、前記サブフレームへの前記付加情報の割り当てを中止し、
前記サブフレームを分割して前記マルチチャンネルのオーディオ信号によるサンプリングデータを順次割り当てて伝送する
ことを特徴とするオーディオ信号のデータ伝送方法。
【発明の詳細な説明】
【技術分野】
【０００１】
本発明は、オーディオ信号の伝送装置及びオーディオ信号の伝送方法に関し、例えば赤外線によるマルチチャンネルのオーディオ信号の伝送に適用することができる。本発明は、２チャンネルのオーディオ信号を伝送する場合に、各チャンネルのオーディオ信号によるサンプリングデータをそれぞれ割り当てるサブフレームへの付加情報の割り当てを省略し、このサブフレームを分割して複数チャンネルのオーディオ信号によるサンプリングデータを順次割り当てると共に、付加情報を管理情報の領域に割り当てることにより、２チャンネルオーディオ信号用の従来フォーマットを有効に利用して、マルチチャンネルによるオーディオ信号を伝送することができるようにする。
【背景技術】
【０００２】
従来、赤外線によるオーディオ信号の伝送等では、ＩＥＣ（International Electrotechnical Commission ）−６１６０３−８−１により国際標準とされているＤＩＡＴ（Digital Infrared Audio Transmission ）に基づいて、ステレオ方式によるオーディオ信号を伝送している。
【０００３】
ここで図３は、このＤＩＡＴによるフォーマットを示す図表である。ＤＩＡＴは、チャプタの連続によりステレオ方式によるオーディオ信号を伝送し、チャプタは、図３（Ｃ）に示す構造により作成される。すなわちチャプタは、３８４個のサブフレームＳＦを１２行×３２列により配列してサブフレームによるブロックが形成され、このサブフレームによるブロックの列方向の末尾に、１列分（４８〔ｂｙｔｅ〕）による管理情報の記録領域ＡＲが設けられる。またこのサブフレームによるブロックと管理情報の記録領域ＡＲとによるブロックの行方向の末尾に、１行分（３３×１０〔ｂｙｔｅ〕）によるリードソロモン形式によるパリティ符号が設けられる。ＤＩＡＴは、矢印により示すように、ラスタ走査の順序により、このチャプタ構造によるデータを順次伝送する。
【０００４】
またこのようにしてチャプタを形成するサブフレームＳＦは、図３（Ｂ）に示すように、連続するサブフレームＳＦが順次右チャンネル用及び左チャンネル用に割り当てられる。なおこれによりこの連続する２つのサブフレームＳＦが１つのフレームＦとされる。
【０００５】
また各サブフレームは、図３（Ａ）に示すように、３２ビットにより形成され、先頭４ビットが、自由にデータを割り当てることが可能なフリーフィールドに割り当てられる。ここでこのフリーフィールドには、例えば各チャンネルの音量、全チャンネルの総合の音量等、各メーカーが独自の情報を割り当てている。また続いて、２４ビット、１サンプルのオーディオデータが割り当てられ、残り４ビットに順次バリッドフラグＶ、ユーザービットＵ、チャンネルステータスＣ、パリティビットＰが割り当てられる。
【０００６】
このような赤外線によるオーディオ信号の伝送に関しては、例えば特開平１０−４１８８８号公報等に、種々の工夫が提案されている。
【０００７】
ところで従来のＤＩＡＴによるフォーマットでは、２チャンネルのオーディオ信号しか伝送することが困難な欠点があり、これにより３チャンネル以上のマルチチャンネルによるオーディオ信号については、伝送できない問題がある。
【０００８】
しかしてこのような２チャンネルオーディオ信号用の従来フォーマットを有効に利用して、マルチチャンネルによるオーディオ信号を伝送することができれば、例えばＤＶＤ（Digital Versatile Disk）の光ディスクによるホームシアターシステムのサラウンド再生等に利用することができ、便利であると考えられる。
【特許文献１】特開平１０−４１８８８号公報
【発明の開示】
【発明が解決しようとする課題】
【０００９】
本発明は以上の点を考慮してなされたもので、２チャンネルオーディオ信号用の従来フォーマットを有効に利用して、マルチチャンネルによるオーディオ信号を伝送することができるオーディオ信号の伝送装置及びオーディオ信号の伝送方法を提案しようとするものである。
【課題を解決するための手段】
【００１０】
かかる課題を解決するため請求項１の発明は、マルチチャンネルのオーディオ信号を伝送するオーディオ信号の伝送装置に適用して、前記オーディオ信号を所定フォーマットにより出力するフォーマット回路と、前記フォーマット回路の出力データを変調して出力する変調回路とを備え、前記所定フォーマットは、所定個数のサブフレームに、管理情報、パリティを割り当てたチャプタの連続によるフォーマットであり、２チャンネルのオーディオ信号を伝送する場合、連続する前記サブフレームを交互に右チャンネル及び左チャンネルに割り当て、前記サブフレームにそれぞれ前記オーディオ信号によりオーディオデータのサンプリングデータと、付加情報とを割り当てるフォーマットであり、前記フォーマット回路は、前記２チャンネルのオーディオ信号を伝送する場合に、前記サブフレームに割り当てる付加情報を、前記管理情報の記録領域に割り当てて、前記サブフレームへの前記付加情報の割り当てを中止し、前記サブフレームを分割して前記マルチチャンネルのオーディオ信号によるサンプリングデータを順次割り当てる。
【００１１】
また請求項２の発明は、マルチチャンネルのオーディオ信号を所定フォーマットにより伝送するオーディオ信号の伝送方法に適用して、前記所定フォーマットが、所定個数のサブフレームに、管理情報、パリティを割り当てたチャプタの連続によるフォーマットであり、２チャンネルのオーディオ信号を伝送する場合、連続する前記サブフレームを交互に右チャンネル及び左チャンネルに割り当て、前記サブフレームにそれぞれ前記オーディオ信号によりオーディオデータのサンプリングデータと、付加情報とを割り当てるフォーマットであり、前記オーディオ信号の伝送方法は、前記２チャンネルのオーディオ信号を伝送する場合に、前記サブフレームに割り当てる付加情報を、前記管理情報の記録領域に割り当てて、前記サブフレームへの前記付加情報の割り当てを中止し、前記サブフレームを分割して前記マルチチャンネルのオーディオ信号によるサンプリングデータを順次割り当てて伝送する。
【００１２】
請求項１の構成により、マルチチャンネルのオーディオ信号を伝送するオーディオ信号の伝送装置に適用して、前記オーディオ信号を所定フォーマットにより出力するフォーマット回路と、前記フォーマット回路の出力データを変調して出力する変調回路とを備え、前記所定フォーマットは、所定個数のサブフレームに、管理情報、パリティを割り当てたチャプタの連続によるフォーマットであり、２チャンネルのオーディオ信号を伝送する場合、連続する前記サブフレームを交互に右チャンネル及び左チャンネルに割り当て、前記サブフレームにそれぞれ前記オーディオ信号によりオーディオデータのサンプリングデータと、付加情報とを割り当てるフォーマットであり、前記フォーマット回路は、前記２チャンネルのオーディオ信号を伝送する場合に、前記サブフレームに割り当てる付加情報を、前記管理情報の記録領域に割り当てて、前記サブフレームへの前記付加情報の割り当てを中止すれば、その分、１つのサブフレームに割り当て可能なデータ量が増大することになる。これにより前記サブフレームを分割して前記マルチチャンネルのオーディオ信号によるサンプリングデータを順次割り当てることにより、２チャンネルオーディオ信号用のフォーマットを有効に利用して、マルチチャンネルによるオーディオ信号を伝送することができる。
【００１３】
これにより請求項２の構成によれば、２チャンネルオーディオ信号用のフォーマットを有効に利用して、マルチチャンネルによるオーディオ信号を伝送することができるオーディオ信号の伝送方法を提供することができる。
【発明の効果】
【００１４】
本発明によれば、２チャンネルオーディオ信号用のフォーマットを有効に利用して、マルチチャンネルによるオーディオ信号を伝送することができる。
【発明を実施するための最良の形態】
【００１５】
以下、適宜図面を参照しながら本発明の実施例を詳述する。
【実施例１】
【００１６】
（１）実施例の構成
図２は、本発明の実施例に係るオーディオ信号伝送装置を示すブロック図である。このオーディオ信号伝送装置１は、例えばＤＶＤ（Digital Versatile Disk）の光ディスクによるホームシアターシステムに適用されて、光ディスクプレイヤー等によるソース源２で再生される５．１チャンネルのオーディオ信号のうち、左右前方及び左右後方に係る４チャンネルのオーディオ信号ＳＡ（ＣＨ１〜ＣＨ４）を、これら左右前方及び左右後方のスピーカを駆動するアンプ３に伝送する。このためこのオーディオ信号伝送装置１において、送信装置４は、ソース源２より得られる４チャンネルのオーディオ信号ＳＡ（ＣＨ１〜ＣＨ４）を赤外線により送出し、受信装置５は、このオーディオ信号ＳＡ（ＣＨ１〜ＣＨ４）を受信してアンプ３に出力する。なお送信装置４及び受信装置５は、ユーザーによるスイッチの設定により動作を切り換え、４チャンネルのオーディオ信号ＳＡ（ＣＨ１〜ＣＨ４）に代えて、２チャンネルのオーディオ信号を伝送し、これによりホームシアターシステムの構成に対応して伝送に供するオーディオ信号のチャンネル数を切り換えることができるように構成されている。なおこの場合、この２チャンネルのオーディオ信号は、例えば左右前方のスピーカの駆動に係るオーディオ信号、又は左右後方のスピーカの駆動に係るオーディオ信号等である。
【００１７】
送信装置４において、フォーマット回路６は、ソース源２から出力されるオーディオ信号を所定のブロック単位で区切って、パリティ等を付加して所定フォーマットにより出力する。ここでフォーマット回路６は、伝送に供するオーディオ信号が２チャンネルによるオーディオ信号の場合、図３について上述した従来のＤＩＡＴのフォーマットによりオーディオ信号を出力する。またこのときフリーフィールドには、先頭から１０個のサブフレームについてだけ、有効なデータを割り当て、残るサブフィールドには、ダミーデータを割り当て、これにより付加情報にあっては、４×１０ビットのデータを割り当てる。
【００１８】
これに対して伝送に供するオーディオ信号が４チャンネルによるオーディオ信号ＳＡ（ＣＨ１〜ＣＨ４）の場合、従来のＤＩＡＴのフォーマットに類似した、このＤＩＡＴのフォーマットを利用したフォーマットにより、オーディオ信号を出力する。
【００１９】
ここで図１（Ａ）〜（Ｄ）に示すように、この４チャンネルのオーディオ信号の伝送に係るフォーマットは、ＤＩＡＴのフォーマットと同一に、チャプタの連続によりオーディオ信号を伝送する。また図１（Ｃ）に示すように、チャプタは、ＤＩＡＴのフォーマットと同一に、３８４個のサブフレームＳＦを１２行×３２列により配列してサブフレームＳＦによるブロックが形成され、このサブフレームによるブロックの列方向の末尾に、１列分（４８〔ｂｙｔｅ〕）による管理情報の記録領域ＡＲが設けられ、またこのサブフレームによるブロックと管理情報の記録領域ＡＲとによるブロックの行方向の末尾に、１行分（３３×１０〔ｂｙｔｅ〕）によるリードソロモン形式によるパリティ符号が設けられる。フォーマット回路６は、ＤＩＡＴのフォーマットの場合と同一に、ラスタ走査の順序により、このチャプタ構造によるデータを順次伝送する。
【００２０】
またこのようにしてチャプタを形成するサブフレームＳＦは、図１（Ｂ）に示すように、連続する２つのサブフレームＳＦにより１つのフレームが形成される。また図１（Ａ）に示すように、この１つのフレームを構成する３２ビットによるサブフレームがそれぞれ中央により区切られ、順次、各チャンネルＣＨ１〜ＣＨ４の１６ビットによるオーディオデータが順次循環的に割り当てられる。これらによりこの実施例では、２チャンネルオーディオ信号用の従来フォーマットを有効に利用して、マルチチャンネルである４チャンネルのオーディオ信号を伝送する。
【００２１】
ところでこの場合、サブフレームＳＦの全てを２つに分けてオーディオ信号を割り当てることにより、ＤＩＡＴのフォーマットでフリーフィールドに割り当てていた情報（以下、付加情報と呼ぶ）を伝送できなくなる。このためフォーマット回路６は、図１（Ｄ）に示すように、４チャンネルのオーディオ信号を伝送する場合、２チャンネルのオーディオ信号を伝送する際にフリーフィールドに割り当てていた付加情報を、管理情報の記録領域ＡＲに割り当てる。
【００２２】
すなわちこの管理情報の記録領域ＡＲは、４８〔ｂｙｔｅ〕のうちの４０〔ｂｙｔｅ〕が利用可能であって、この４０〔ｂｙｔｅ〕の利用可能領域の空き領域に、付加情報を割り当てる。
【００２３】
フォーマット回路６は、このようにして設定したチャプタによるデータを出力する際に、同期信号、ヘッダ等を順次設定して出力する。
【００２４】
誤り訂正回路９は、このフォーマット回路６の出力データにリードソロモン符号による誤り訂正符号を付加した後、インターリーブ処理して出力し、続く変調回路１０は、この誤り訂正回路９の出力データをＤＱＰＳＫ（Differential Quadrature Phase Shift Keying）変調して出力する。発光素子１１は、例えば発光ダイオードにより形成され、変調回路１０の出力信号に応じて赤外線を送出する。これらにより送信装置４は、２チャンネル又は４チャンネルのオーディオ信号を赤外線により送出する。
【００２５】
受信装置５において、受光素子１２は、例えばフォトダイオードにより形成され、送信装置４から送出された赤外線を受光して受光結果を出力し、ＡＧＣ（Automatic Gain Control）回路１３は、自動利得制御によりこの受光素子１２による受光結果の信号レベルを補正して出力する。復調回路１４は、ＡＧＣ回路１３の出力信号を入力して処理することにより、送信装置４の誤り訂正回路９の出力データを復調して出力する。誤り訂正回路１５は、この復調回路１４の出力データをデインターリーブ処理した後、送信時に付加されたリードソロモン符号による誤り訂正符号により誤り訂正処理して出力する。これにより受信装置５は、フォーマット回路６の出力データを復号する。
【００２６】
デフォーマット回路１６は、この誤り訂正回路１５の出力データを送信装置４のフォーマット回路６とは逆に処理し、これによりこの出力データから４チャンネル、又は２チャンネルのオーディオ信号を復号してアンプ３に出力する。また各チャンネルの音量、総合の音量等による付加情報を再生し、この付加情報をアンプ３に出力して各チャンネルの音量を制御する。
【００２７】
（２）実施例の動作
以上の構成において（図１）、ソース源２から出力されるオーディオ信号は、フォーマット回路６を介して誤り訂正回路９に入力され、ここで誤り訂正符号が付加されてインターリーブ処理された後、変調回路１０により変調されて発光素子１１の駆動に供される。これによりこのオーディオ信号伝送装置１では、送信装置４からソース源２によるオーディオ信号が赤外線により送出される。
【００２８】
またこのようにして送出された赤外線は、受信装置５の受光素子１２で受光され、その受光結果がＡＧＣ回路１３、復調回路１４、誤り訂正回路１５により順次処理され、デフォーマット回路１６により元のオーディオ信号が復号されてアンプ３に出力される。
【００２９】
このようにして送信装置４から受信装置５に伝送されるオーディオ信号は、ステレオ方式による２チャンネルのオーディオ信号の場合、フォーマット回路６において、連続するサブフレームが順次右チャンネル及び左チャンネルに割り当てられて、付加情報、ユーザーフラグ等と共に、それぞれ対応するサンプリングデータが各サブフレームに割り当てられる。またこのサブフレームによるブロックに管理情報、パリティ等が割り当てられてチャンクが形成され、このチャンクの連続により伝送される。これによりこのオーディオ信号伝送装置１では、２チャンネルによるオーディオ信号にあっては、ＤＩＡＴのフォーマットにより伝送対象に送出される。
【００３０】
これに対してこのオーディオ信号が４チャンネルによるオーディオ信号の場合、各サブフレームへの付加情報、ユーザーフラグ等の割り当てが省略されて、各サブフィールドに十分な空き領域が確保される。またこのサブフィールドがそれぞれ２分割されて、順次循環的に４チャンネルのオーディオ信号に割り当てられてオーディオデータによるサンプリングデータが割り当てられる。またこのようにしてオーディオ信号を順次割り当てたサブフィールドによるブロックに、管理情報、パリティ等が割り当てられてチャンクが形成され、このチャンクの連続により伝送される。これによりこのオーディオ信号伝送装置１において、４チャンネルによるオーディオ信号は、ＤＩＡＴのフォーマットを利用したフォーマットにより伝送対象に送出される。
【００３１】
これによりこの実施例では、２チャンネルのオーディオ信号を伝送する場合に、各チャンネルのオーディオ信号によるサンプリングデータをそれぞれ割り当てるサブフレームへの付加情報の割り当てを省略し、このサブフレームを分割して複数チャンネルのオーディオ信号によるサンプリングデータを順次割り当て、２チャンネルオーディオ信号用の従来フォーマットを有効に利用して、マルチチャンネルによるオーディオ信号を伝送することができるようにすることができる。
【００３２】
またこのようにしてサブフレームへの割り当てを中止した付加情報については、管理情報の記録領域に割り当てられ、これにより伝送対象に伝送したマルチチャンネルの再生に必要な音量等の情報についても、２チャンネルオーディオ信号用の従来フォーマットを有効に利用して伝送することができる。
【００３３】
（３）実施例の効果
以上の構成によれば、２チャンネルのオーディオ信号を伝送する場合に、各チャンネルのオーディオ信号によるサンプリングデータをそれぞれ割り当てるサブフレームへの付加情報の割り当てを省略し、このサブフレームを分割して複数チャンネルのオーディオ信号によるサンプリングデータを順次割り当てると共に、付加情報を管理情報の領域に割り当てることにより、２チャンネルオーディオ信号用の従来フォーマットを有効に利用して、マルチチャンネルによるオーディオ信号を伝送することができる。
【実施例２】
【００３４】
なお上述の実施例においては、赤外線によりオーディオ信号を伝送する場合について述べたが、本発明はこれに限らず、無線通信、有線による通信等、種々の手法によりオーディオ信号を伝送する場合に広く適用することができる。
【００３５】
また上述の実施例においては、５．１チャンネルによるホームシアターシステムに適用して、４チャンネルのオーディオ信号ＳＡを伝送する場合について述べたが、本発明はこれに限らず、７．１チャンネル、９．１チャンネル等の種々のチャンネル数によるサラウンドシステム等に広く適用することができる。
【産業上の利用可能性】
【００３６】
本発明は、オーディオ信号の伝送装置及びオーディオ信号の伝送方法に関し、例えば赤外線によるマルチチャンネルのオーディオ信号の伝送に適用することができる。
【図面の簡単な説明】
【００３７】
【図１】本発明の実施例に係るオーディオ信号伝送装置におけるフォーマットの説明に表する図表である。
【図２】本発明の実施例に係るオーディオ信号伝送装置を示すブロック図である。
【図３】ＤＩＡＴのフォーマットの説明に供する図表である。
【符号の説明】
【００３８】
１……オーディオ信号伝送装置、４……送信装置、５……受信装置、６……フォーマット回路、１０……変調回路、１６……デフォーマット回路、１４……復調回路
【図１】
2007027928.tif 000003
【図２】
2007027928.tif 000004
【図３】
2007027928.tif 000005